(57)【要約】【課題】側面からの水分の浸入を効果的に遮断し、マイクロカプセル表示層への水分の浸入によるマイクロカプセル表示層の特性の劣化を効果的に防止することを可能とするマイクロカプセル型電気泳動式表示パネル及びその製造方法を提供すること。【解決手段】基板、この基板上の周縁部を除く領域に配置されたマイクロカプセル表示層、前記マイクロカプセル表示層上に被着された、前記マイクロカプセル表示層側に透明電極層を有する透明樹脂膜、及び前記基板上の周縁部と前記透明電極層との間の間隙に充填された第１の水蒸気遮断性樹脂層を具備することを特徴とする。  【選択図】    図１
2005114822.tif 000002
【特許請求の範囲】
【請求項１】
基板、この基板上の周縁部を除く領域に配置されたマイクロカプセル表示層、前記マイクロカプセル表示層上に被着された、前記マイクロカプセル表示層側に透明電極層を有する透明樹脂膜、及び前記基板上の周縁部と前記透明電極層との間の間隙に充填された第１の水蒸気遮断性樹脂層を具備することを特徴とするマイクロカプセル型電気泳動式表示パネル。
【請求項２】
透明樹脂膜上に接着層を介して被着された透明樹脂保護膜を更に具備することを特徴とする請求項１に記載のマイクロカプセル型電気泳動式表示パネル。
【請求項３】
前記間隙に充填された前記第１の水蒸気遮断性樹脂層の幅は、０．５〜１．５ｍｍであることを特徴とする請求項１又は２に記載のマイクロカプセル型電気泳動式表示パネル。
【請求項４】
前記透明樹脂膜の透明電極層の周縁部に第２の水蒸気遮断性樹脂層が形成されていることを特徴とする請求項１〜３のいずれかに記載のマイクロカプセル型電気泳動式表示パネル。
【請求項５】
前記透明電極層の厚さは１０ｎｍ以上であることを特徴とする請求項１〜４のいずれかに記載のマイクロカプセル型電気泳動式表示パネル。
【請求項６】
透明電極層を有する透明樹脂膜の透明電極層上の周縁部を除く領域にマイクロカプセル表示層を形成し、前記透明樹脂膜のマイクロカプセル表示層側を基板に被着し、前記透明電極層の周縁部と基板との間の間隙に第１の水蒸気遮断性樹脂層を充填することを特徴とするマイクロカプセル型電気泳動式表示パネルの製造方法。
【請求項７】
前記透明電極層上の周縁部を除く領域へのマイクロカプセル表示層の形成は、レーザーの照射又は拭き取りにより行われることを特徴とする請求項６に記載の情報表示部材の製造方法。
【請求項８】
前記透明電極層上の周縁部を除く領域へのマイクロカプセル表示層の形成は、前記透明電極層上の周縁部を除く領域にパターン状にマイクロカプセル表示層を形成することにより行われることを特徴とする請求項６に記載の情報表示部材の製造方法。
【請求項９】
透明樹脂膜上に接着層を介して透明樹脂保護膜を被着することを特徴とする請求項６〜８のいずれかに記載のマイクロカプセル型電気泳動式表示パネルの製造方法。
【請求項１０】
前記間隙に充填された前記第１の水蒸気遮断性樹脂層の幅は、０．５〜１．５ｍｍであることを特徴とする請求項６〜９のいずれかに記載のマイクロカプセル型電気泳動式表示パネルの製造方法。
【請求項１１】
前記マイクロカプセル表示層を形成する前に、前記透明樹脂膜の透明電極層の周縁部に第２の水蒸気遮断性樹脂層を形成することを特徴とする請求項６〜１０のいずれかに記載のマイクロカプセル型電気泳動式表示パネルの製造方法。
【請求項１２】
前記透明電極層の厚さは１０ｎｍ以上であることを特徴とする請求項６〜１１のいずれかに記載のマイクロカプセル型電気泳動式表示パネルの製造方法。
【発明の詳細な説明】
【技術分野】
【０００１】
本発明は、マイクロカプセル表示層に対する高い水分遮断機能を有する、安定した特性で動作するマイクロカプセル型電気泳動式表示パネル及びその製造方法に関する。
【背景技術】
【０００２】
フラットパネル表示装置として、現在、液晶表示装置（ＬＣＤ）が、厚さが薄く、小型化が可能であることから、様々な用途において広範に使用されている。このようなＬＣＤよりも更に薄型化、低消費電力化を目指す他の表示方式として、電気泳動現象を利用した表示装置が開発されている。
【０００３】
電気泳動現象を利用した表示装置の一つとして、マイクロカプセル型電気泳動方式が実用化されている。この方式の表示装置は、透明溶媒が満たされたマイクロカプセル中に正、負に帯電した白い粒子と黒い粒子を入れ、外部電圧の印加によってそれぞれの粒子を表示面に引き上げて画像を形成するものである。マイクロカプセルのサイズは径数十μｍ〜数百μｍと小さいので、このマイクロカプセルを透明なバインダに分散させると、インクのようにコーティングすることができる。このインクは、外部から電圧を印加することで画像を描くことができるので、電子インクと呼ばれる。
【０００４】
透明電極を形成した透明樹脂膜にこの電子インクをコーティングし、アクティブマトリクス駆動用の電極回路を形成した基板に貼り合わせると、例えば、特許文献１に示すような、アクティブマトリクスディスプレイパネルを得ることができる。通常、透明電極を形成した透明樹脂膜に電子インクをコーティングした部品を「前面板」と呼び、アクティブマトリクス駆動用の電極回路を形成した基板を「背面板」と呼んでいる。
【０００５】
以上のように構成されるマイクロカプセル型電気泳動式表示装置では、パネル側面におけるシールが十分ではなく、電子インクのコーティングにより形成されたマイクロカプセル表示層に、水蒸気等の水分が浸入し、その電気的特性を劣化させるという問題がある。
【０００６】
即ち、パネルの上面は透明樹脂膜により、下面は基板により、それぞれ水分の浸入が遮断されるが、パネル側面のシールは困難であるため、側面から浸入する水分を十分に遮断することが出来なかった。
【特許文献１】特開２０００−２２１５４６号公報
【発明の開示】
【発明が解決しようとする課題】
【０００７】
本発明は、以上のような事情の下になされ、側面からの水分の浸入を効果的に遮断し、マイクロカプセル表示層への水分の浸入によるマイクロカプセル表示層の特性の劣化を効果的に防止することを可能とするマイクロカプセル型電気泳動式表示パネル及びその製造方法を提供することを目的とする。
【課題を解決するための手段】
【０００８】
上記課題を解決するため、本発明は、基板、この基板上の周縁部を除く領域に配置されたマイクロカプセル表示層、前記マイクロカプセル表示層上に被着された、前記マイクロカプセル表示層側に透明電極層を有する透明樹脂膜、及び前記基板上の周縁部と前記透明電極層との間の間隙に充填された第１の水蒸気遮断性樹脂層を具備することを特徴とするマイクロカプセル型電気泳動式表示パネルを提供する。
【０００９】
また、本発明は、透明電極層を有する透明樹脂膜の透明電極層上の周縁部を除く領域にマイクロカプセル表示層を形成し、前記透明樹脂膜のマイクロカプセル表示層側を基板に被着し、前記透明電極層の周縁部と基板との間の間隙に第１の水蒸気遮断性樹脂層を充填することを特徴とするマイクロカプセル型電気泳動式表示パネルの製造方法を提供する。
【００１０】
以上のように構成される本発明のマイクロカプセル型電気泳動式表示パネル及びその製造方法によると、基板上の周縁部と前記透明樹脂膜の透明電極層との間の間隙に第１の水蒸気遮断性樹脂層が充填されているため、マイクロカプセル表示層への水分の浸入を効果的に遮断し、マイクロカプセル表示層への水分の浸入によるマイクロカプセル表示層の特性の劣化を効果的に防止することが出来る。
【００１１】
本発明のマイクロカプセル型電気泳動式表示パネルにおいて、透明樹脂膜上に接着層を介して透明樹脂保護膜を被着させることが出来る。このような構成によると、マイクロカプセル表示層に対する保護機能が大幅に高められ、外部からの衝撃によるマイクロカプセル表示層の破損を効果的に防止することが出来る。
【００１２】
間隙に充填された第１の水蒸気遮断性樹脂層の幅は、０．５〜１．５ｍｍであることが望ましい。第１の水蒸気遮断性樹脂層の幅がこの範囲内であることにより、第１の水蒸気遮断性樹脂層の充填を容易に行うことが出来るとともに、マイクロカプセル表示層への水分の浸入を効果的に防止することが可能となる。
【００１３】
透明樹脂膜の透明電極層の周縁部に、更に第２の水蒸気遮断性樹脂層を形成することが出来る。この第２の水蒸気遮断性樹脂層により、マイクロカプセル表示層への水分の浸入をより効果的に防止することが出来るとともに、周縁部のマイクロカプセル表示層を除去する際に、透明電極層を保護し、透明電極層の破損を有効に防止することが出来る。
【００１４】
透明電極層の厚さは、１０ｎｍ以上であることが望ましい。それによって、透明電極層を通しての水分の浸入を効果的に遮断することが出来る。
【００１５】
透明電極層上の周縁部を除く領域へのマイクロカプセル表示層の形成は、レーザーの照射又は拭き取りにより、或いは、透明電極層上の周縁部を除く領域にパターン状にマイクロカプセル表示層を形成することにより行うことが出来る。
【発明の効果】
【００１６】
本発明によると、基板上の周縁部と透明樹脂膜の透明電極層との間の間隙に第１の水蒸気遮断性樹脂層を充填することにより、マイクロカプセル表示層への水分の浸入を効果的に遮断し、マイクロカプセル表示層への水分の浸入によるマイクロカプセル表示層の特性の劣化を効果的に防止することが可能なマイクロカプセル型電気泳動式表示パネルが提供される。また、本発明に係るマイクロカプセル型電気泳動式表示パネルは、透明樹脂膜の透明電極層の周縁部に、更に第２の水蒸気遮断性樹脂層を形成することにより、マイクロカプセル表示層への水分の浸入をより効果的に防止することが出来るとともに、周縁部のマイクロカプセル表示層を除去する際に、透明電極層を保護し、透明電極層の破損を有効に防止することが出来るという効果をも奏する。
【発明を実施するための最良の形態】
【００１７】
以下、本発明を実施するための最良の形態について、図面を参照して具体的に説明する。
【００１８】
図１は、本発明の一形態に係るマイクロカプセル型電気泳動式表示パネルの製造工程を示す断面図である。
【００１９】
図１（ａ）に示すように、まず、表面に透明電極層（ＩＴＯ膜）１が形成されているポリエチレンテレフタレートからなる透明樹脂膜２の透明電極層１の面に、スクリーン印刷により電子インクを印刷し、マイクロカプセル表示層３を形成する。次いで、マイクロカプセル表示層３の面に第１の接着層４を形成して、前面板５を得る。
【００２０】
この場合、電子インクの印刷は透明樹脂膜２の透明電極層１に対して行われるが、透明樹脂膜２は膜厚が薄いため巻取りによる操作が可能であり、電子インクの印刷を、連続して作業性よく行うことが可能である。
【００２１】
透明樹脂膜２としては、ポリエチレンテレフタレート以外に、ポリメタクリル酸メチル、ポリカーボネート、ポリエチレンナフタレート、ポリプロピレン、ナイロン−６、ナイロン−６６、ポリ塩化ビニリデン、ポリエーテルスルフォン等を用いることが出来る。透明樹脂膜２の膜厚は、２５〜２５０μｍ程度であるのが好ましい。透明樹脂膜２の膜厚が厚いと、巻取りが困難となり、電子インクの印刷の作業性に悪影響を与える。一方、透明樹脂膜２の膜厚が薄すぎる場合には、水分遮断機能が低くなるとともに、衝撃に対するマイクロカプセル表示層３の保護機能が不十分となる。
【００２２】
なお、透明電極層１は、全面を同一の電位とする共通電極とすることが出来る。透明電極層１の膜厚は、十分な水蒸気遮断性を有するためには、好ましくは１０ｎｍ以上、より好ましくは１００ｎｍ程度がよい。
【００２３】
第１の接着層４としては、公知の感圧接着剤や感熱接着剤を用いることが出来る。これらは、粘着面に剥離紙を有する片面粘着テープ又は両面粘着テープの形で用いることが出来る。即ち、第１の接着層４は、片面粘着テープの非粘着面を接着剤によりマイクロカプセル表示層３に貼るか、又は両面粘着テープの一方の剥離テープを剥がしてマイクロカプセル表示層３に貼ることにより形成することが出来る。第１の接着層４の厚さは、１０〜５０μｍ程度が好ましい。
【００２４】
このように、マイクロカプセル表示層３に第１の接着層４を設けて前面板５を形成した後、前面板５は所定のサイズに断裁される。
【００２５】
次いで、パネルの周縁部に対応する第１の接着層４及びマイクロカプセル表示層３の部分を除去して、透明電極層１の周縁領域６を露出させることにより、図１（ａ）に示す構造の前面板５が得られる。第１の接着層４及びマイクロカプセル表示層３の除去は、レーザーの照射、いわゆるレーザーアブレーションにより、あるいは、不織布等による拭き取りにより行うことが出来る。レーザーアブレーションに用いるレーザーは、炭酸ガスレーザー、ＹＡＧレーザー、エキシマレーザー、波長可変のダイレーザー等を適宜選択することが出来る。
【００２６】
第１の接着層４及びマイクロカプセル表示層３が除去される周縁領域６の幅は、０．５〜１．５ｍｍであることが望ましい。周縁領域６の幅が０．５ｍｍ未満では、マイクロカプセル表示層３への水分の浸入を充分に阻止することが困難となり、１．５ｍｍを越えると、後述する第１の水蒸気遮断性樹脂層の充填が困難となる。
【００２７】
なお、透明電極層１の全面に形成された第１の接着層４及びマイクロカプセル表示層３の周縁領域６上の部分を除去するのではなく、マイクロカプセル表示層３及び第１の接着層４を、透明電極層１上のパネルの周縁部に対応する周縁領域６を除く領域にパターン状に形成することによっても、図１（ａ）に示す構造を得ることが出来る。
【００２８】
次に、図１（ｂ）に示すように、前面板５を基板７に貼りつける。貼りつけは、例えば剥離紙を剥がして、第１の接着層４の粘着面を基板７に貼り合せ、押圧又は加熱することにより行うことが出来る。基板７は、表面に電極層（図示せず）を備えるガラス基板又は樹脂フィルムであり、表面の電極層が画素電極として画素毎に独立してパターニングされ、図示しない薄膜トランジスタ、信号電極、および走査電極が併設されたものを用いることが出来る。
【００２９】
このように、前面板５を基板７に貼りつけると、第１の接着層４及びマイクロカプセル表示層３の周縁領域６上の部分が除去されているため、その部分における基板７と透明電極層１の間に間隙が形成される。この間隙に、水蒸気遮断性樹脂が充填される。使用可能な水蒸気遮断性樹脂としては、水蒸気遮断機能を有するとともに、充填し易いように、粘性が低い樹脂であるのが望ましい。また、充填後に、熱又は紫外線の照射により硬化するものであるのが望ましい。そのような樹脂として、熱又は紫外線硬化性のアクリル系樹脂、メタクリル酸樹脂、エポキシ樹脂等を用いることが出来、特にアクリル系樹脂を用いることが好ましい。水蒸気遮断機能としては、０．６ｇ・ｍｍ／ｍ２・日以下の水蒸気透過係数であることが好ましく、粘性は、２０００Ｐａ・ｓ以下であるのが好ましい。
【００３０】
空隙への水蒸気遮断性樹脂の充填は、例えば、一般的なディスペンサーにより行うことが出来る。間隙に充填された水蒸気遮断性樹脂は、加熱又は紫外線の照射により硬化され、第１の水蒸気遮断性樹脂層８が形成される。
【００３１】
次に、図１（ｃ）に示すように、以上のようにして得た積層体の透明樹脂膜２上に、第２の接着層９を介して、透明樹脂保護膜１０を被着する。第２の接着層９は、自己保持性が高い、高弾性を有するものであるのが好ましい。高弾性を有する第２の接着層９は、単なる接着作用だけではなく、透明樹脂保護膜１０が受ける衝撃を和らげるクッションとしての役割をも果たすことが出来る。第２の接着層９の具体的な材質としては、シリコンゴム、クロロプレンゴム、エチレン−プロピレンゴム、フッ素ゴム、アクリルゴム、ブチルゴム等を挙げることが出来、その膜厚は２５μｍ以上であるのが好ましい。第２の接着層９の厚みの上限は、性能面からの制限は特に無いが、生産性の点から２５０μｍ程度である。
【００３２】
透明樹脂保護膜１０としては、ポリエチレンテレフタレート、ポリメタクリル酸メチル、ポリカーボネート、ポリエチレンナフタレート、ポリプロピレン、ナイロン−６、ナイロン−６６、ポリ塩化ビニリデン、ポリエーテルスルフォン等を用いることが出来る。特に、上方（表示面側）からの水分の浸入を効果的に防止するため、０．１ｇ／ｍ２・日以下の水蒸気透過度を有するものであることが望ましい。なお、水蒸気透過度は、前面板５の側を測定器のセンサー側に向けて測定した場合の値である。
【００３３】
透明樹脂保護膜１０の膜厚は、１００〜２５０μｍ程度であるのが好ましい。透明樹脂保護膜１０の膜厚が薄すぎる場合には、マイクロカプセル表示層３の保護機能が不十分となり、厚すぎると、均一なフィルム作成が困難となり、また視認性も低下してしまう。
【００３４】
透明樹脂保護膜１０の表面には、防眩膜、反射防止膜、ハードコート等の特定の機能を有する機能層１１を設けてもよい。防眩膜は、表面に凹凸を有し、凹凸面で外光を散乱させる膜であり、反射防止膜は、積層された複数層の膜の界面で発生する反射光の干渉を利用して反射光を減衰させるものである。また、ハードコートは、高架橋密度の硬質の樹脂皮膜であり、ガラス並みの耐傷付き性を有するものである。これらの機能層１１は、公知の材料を用い、公知の方法で成膜することが出来る。
【００３５】
以上のようにして得られた、図１（ｃ）に示すマイクロカプセル型電気泳動式表示パネルは、パネル周縁部における基板７と透明樹脂膜２との間の間隙に第１の水蒸気遮断性樹脂層８が充填されているため、パネル側面からのマイクロカプセル表示層３への水分の浸入を効果的に遮断し、マイクロカプセル表示層３への水分の浸入によるマイクロカプセル表示層３の特性の劣化を効果的に防止することが出来る。
【００３６】
図２は、本発明の他の形態に係るマイクロカプセル型電気泳動式表示パネルを示す断面図である。図２に示すマイクロカプセル型電気泳動式表示パネルでは、透明電極層１上の第１の水蒸気遮断性樹脂層８が充填されるべき領域に、第２の水蒸気遮断性樹脂層１２が形成されている。第２の水蒸気遮断性樹脂層１２の材質としては、アクリル系樹脂、メタクリル系樹脂、エポキシ樹脂等を用いることが出来る。特に、熱又は紫外線の照射により硬化するものであるのが望ましい。第２の水蒸気遮断性樹脂層１２の膜厚は、特に限定されないが、通常は３〜１５ｎｍ程度であるのが好ましい。
【００３７】
第２の水蒸気遮断性樹脂層１２は、マイクロカプセル表示層３を形成する前に、透明電極層１上の、パネルの周縁部に対応する第１の水蒸気遮断性樹脂層８が充填されるべき領域に形成される。即ち、第２の水蒸気遮断性樹脂層１２は、例えば、スクリーン印刷等により第２の水蒸気遮断性樹脂を塗布した後、加熱又は紫外線を照射することにより硬化することにより形成される。
【００３８】
第２の水蒸気遮断性樹脂層１２が形成された後、この第２の水蒸気遮断性樹脂層１２及び露出する透明電極層１上にマイクロカプセル表示層３及び第１の接着層４が形成され、更に、上述したように、パネルの周縁部に対応する第１の接着層４及びマイクロカプセル表示層３の部分が除去される。この時、除去される部分に対応する透明電極層１上には第２の水蒸気遮断性樹脂層１２が形成されているため、透明電極層１が損傷することが防止される。即ち、第２の水蒸気遮断性樹脂層１２は、透明電極層１のための保護層としての役割を果たす。
【００３９】
図１及び図２に示す形態では、透明樹脂膜２上に第２の接着層９を介して透明樹脂保護膜１０が形成されているが、パネル周端部からの水分の浸入の防止という本発明の主要な目的を達成する上で、透明樹脂保護膜１０は必ずしも必要ではない。即ち、図３及び図４に示すような構成とすることも可能である。
【００４０】
以上説明したマイクロカプセル型電気泳動式表示パネルにおいて、マイクロカプセル表示層３に含まれるマイクロカプセルは、例えば図５に示すように、メタクリル酸樹脂、ユリア樹脂、アラビアゴム等をカプセル殻１１１とし、その内部に酸化チタンからなる白の粒子１１３とカーボンブラックからなる黒の粒子１１４が、シリコーンオイル等の粘性の高い分散媒１１２に分散された状態で封入されたものである。白の粒子１１３である酸化チタンは正電荷を帯びており、一方、黒の粒子１１４であるカーボンブラックは負電荷を帯びている。
【００４１】
このようなマイクロカプセル１１０を含むマイクロカプセル型電気泳動方式を用いた表示体は、次のようにして動作する。
【００４２】
即ち、図６の模式図に示すように、透明樹脂膜２の側の透明電極層１と基板７側の電極層２１に電界を印加し、透明電極層１を負極、電極層２１を正極とした場合、正に帯電した白の粒子１１３が透明電極層１側に引かれ、負に帯電した黒の粒子１１４は電極層２１側に引かれるので、透明電極層１側の上方から観察するとその部分が白く見える。
【００４３】
逆に、透明電極層１が正極で、電極層２１が負極になった場合には、正に帯電した白の粒子１１３が電極層２１側に引かれ、負に帯電した黒の粒子１１４は透明電極層１側に引かれるので、透明電極層１側の上方から観察するとその部分が黒く見えることになる。
【００４４】
マイクロカプセル表示層３は、図７の側断面模式図に示すように、マイクロカプセル１１０を多数含んでおり、透明電極層１を同一電位の共通電極とし、電極層２１の各アドレス電極の電界を制御することで、上述の原理に基づきマイクロカプセル内の粒子を移動させることで、所望の文字や図形を白と黒の画素として表示させることができる。
【００４５】
同様に、電極層２１を共通電極とし（電位をゼロとする）、透明電極１側の各アドレス電極の電界を制御する（正または負の電位を与える）ことで、電極位置のマイクロカプセル内の粒子を移動させて、所望の画像を表示させるようにしてもよい。
【００４６】
マイクロカプセルの径は、種々のものを採用することが可能であるが、約４０μｍ〜約１００μｍのものを採用すると、十分な解像度と応答性を得ることができる。表示画像の解像度は、主として電極層中の電極の配置に依存するが、マイクロカプセルの径が小さければ分散媒中のマイクロカプセルの移動速度が速くなり、結果として表示の際の応答性に優れるというメリットがある。
【００４７】
以上の例では、モノクロ（白黒）の画像表示の例を説明したが、カラー画像表示の場合には、画素単位に分割されたＲ（赤），Ｇ（緑），Ｂ（青）の色を有するカラーフィルタを画素単位で電界を印加することができる透明電極１側に設けることで、カラー画像表示を実現することができる。
【００４８】
ペーパー状電子ディスプレイは、可撓性を有する材料で作製し、電極等のパターニングも印刷法、蒸着法でプラスチックフィルムに形成することで、実現が可能となる。表示画面サイズも、用途、要望に応じて任意のサイズのものを作成することができる。
【００４９】
マイクロカプセル表示層３においては、マイクロカプセル１１０の位置配置は多少の変動があっても表示に問題は生じない。従って、折り曲げて使用したり、曲面の箇所に取付けて使用することなども可能である。
【００５０】
マイクロカプセル型電気泳動式表示パネルにおいて、各粒子は粘性の高い分散媒に分散されているため、一度電界を印加した後は、電源が切断されても粒子の位置は変化しない。このように、ディスプレイの電源を切っても表示画像が消えない不揮発性（メモリー性）を有するので、初期の表示や書き換え時のみ電界を印加すればよく、通常の表示装置に比べて表示に必要な電力も少なくてすみ、大幅な省電力化が可能である。
【００５１】
更に、表示パネル内においては、マイクロカプセル１１０の位置配置は多少の変動があっても表示に問題は生じない。従って、透明電極層１、電極層２１を含め、ディスプレイ全体を薄く可携性を持たせる材料を用いることで、紙のような柔軟性を持たせることができる。
【産業上の利用可能性】
【００５２】
本発明のマイクロカプセル型電気泳動式表示パネルは、優れた水蒸気遮断性、耐湿性を有しているため、様々な用途における表示パネルとして広範に利用可能である。
【図面の簡単な説明】
【００５３】
【図１】本発明の一形態に係るマイクロカプセル型電気泳動式表示パネルの製造工程を示す断面図。
【図２】本発明の他の形態に係るマイクロカプセル型電気泳動式表示パネルを示す断面図。
【図３】本発明の他の形態に係るマイクロカプセル型電気泳動式表示パネルを示す断面図。
【図４】本発明の他の形態に係るマイクロカプセル型電気泳動式表示パネルを示す断面図。
【図５】本発明の一形態に係るマイクロカプセル型電気泳動式表示パネルのマイクロカプセル表示層に含まれるマイクロカプセルを模式的に示す図。
【図６】本発明の一形態に係るマイクロカプセル型電気泳動式表示パネルのマイクロカプセル表示層の表示形態の一例を模式的に表す斜視図。
【図７】本発明の一形態に係るマイクロカプセル型電気泳動式表示パネルのマイクロカプセル表示層の表示形態の一例を模式的に表す側断面図。
【符号の説明】
【００５４】
１・・・透明電極層（ＩＴＯ膜）、２・・・透明樹脂膜、３・・・マイクロカプセル表示層、４・・・第１の接着層、５・・・前面板、６・・・除去領域、７・・・基板、８・・・第１の水蒸気遮断性樹脂層、９・・・第２の接着層、１０・・・透明樹脂保護膜、１１・・・機能層、１２・・・第２の水蒸気遮断性樹脂層、２１・・・電極層、２１０・・・マイクロカプセル、１１１・・・カプセル殻、１１２・・・分散媒、１１３・・・白の粒子、１１４・・・黒の粒子。
【図１】
2005114822.tif 000003
【図２】
2005114822.tif 000004
【図３】
2005114822.tif 000005
【図４】
2005114822.tif 000006
【図５】
2005114822.tif 000007
【図６】
2005114822.tif 000008
【図７】
2005114822.tif 000009